(57)【要約】      （修正有）【課題】即席食品の食べ頃の判断を支援するための食事用具を提供する。【解決手段】フォーク１０は、合成樹脂から構成された本体部１１を備える。この本体部１１には、表示部１２が設けられている。本体部１１を構成する合成樹脂には、感熱変色材が添加されている。この感熱変色材の性質により、本体部１１の各領域で閾値温度を超えた場合、その領域の部分が色変わりする。表示部１２は、本体部１１の熱伝導により、予め定められた待機時間に、閾値温度を超える位置に設ける。フォーク１０を食品容器に挿入し、表示部１２が外部に露出するように配置し、熱湯を注ぐ。待機時間の経過後には、表示部１２が設けられた領域が閾値温度に達して、色変わりすることにより、即席食品の食べ頃を表示する。【選択図】図２
0003183748.tif 000002
【実用新案登録請求の範囲】
【請求項１】
食品容器内の湯に浸けて、この湯の熱を伝導する棒状部と、
湯面位置から、予め定められた待機時間の熱伝導により閾値温度に達する位置に、前記閾値温度で色変わりする表示部とを設けたことを特徴とする食事用具。
【請求項２】
前記棒状部に、湯面位置を特定するマーカを更に設けることを特徴とする請求項１に記載の食事用具。
【請求項３】
前記棒状部において、前記食品容器内の湯面に合わせるための、複数の待機時間に対応させた複数の目盛りを設けることを特徴とする請求項１又は２に記載の食事用具。
【請求項４】
前記棒状部に、食品容器の縁部に固定する固定部を更に設けることを特徴とする請求項１〜３のいずれか一つに記載の食事用具。
【請求項５】
前記棒状部において、折り曲げ部を更に設け、前記折り曲げ部を折り曲げた状態の一端を前記固定部として機能させることを特徴とする請求項４に記載の食事用具。
【請求項６】
前記棒状部を、第１箸材と第２箸材とにより構成し、
前記第１箸材と前記第２箸材とを、熱伝導の速度を変更して構成し、
前記第１箸材及び前記第２箸材に前記表示部を設けたことを特徴とする請求項１〜５のいずれか一つに記載の食事用具。
【請求項７】
前記第１箸材と前記第２箸材を結合する結合具を更に設け、前記結合具は、一方の箸材に対して、他方の箸材を容器蓋に固定可能な角度で結合することを特徴とする請求項６に記載の食事用具。
【考案の詳細な説明】
【技術分野】
【０００１】
本考案は、食べ頃を表示し得る食事用具に関するものである。
【背景技術】
【０００２】
樹脂製容器に、調理済食品（例えば、麺）を乾燥して収納し、その容器開口に蓋を貼着して密封した即席食品が販売されている。この即席食品では、蓋の一部を剥がして容器内に熱湯を注いで、一定時間（例えば３分後）の経過後、蓋を剥がして食する。このような即席食品においては、熱湯を取り扱うため、食物の温度を知るための食事用具が検討されている（例えば、特許文献１を参照）。この文献に記載された技術においては、食事用具は食物温度検出機構を備える。
【０００３】
また、剥がした蓋の一部を閉めるとともに、食べ頃時間を知らせる蓋止め具が検討されている（例えば、特許文献２を参照）。この文献に記載された蓋止め具においては、容器内に麺を入れ、その容器開口に蓋を貼着して密封し、蓋の一部を剥がして容器内に湯を注いで食するカップ麺の剥がした蓋の一部を容器に固定する。この蓋止め具は、容器の縁に蓋上部を嵌着されて蓋上部を容器に固定する係止部と、その係止部に連続して形成され、容器、蓋から伝熱される表示部とから成り、その表示部は、伝熱により変色して麺の食する温度になったことを表示する。
【先行技術文献】
【特許文献】
【０００４】
【特許文献１】特開２０１１−１８３００２号
【特許文献２】実用新案登録第３０６４４２２号
【考案の概要】
【考案が解決しようとする課題】
【０００５】
即席食品においては、熱湯を注いでからの待機時間の管理が大切である。この待機時間の管理を怠ると、味や食感が悪くなる。しかしながら、特許文献１においては、即席食品の食べ頃を判断することができない。また、特許文献２においては、蓋止め具は食事中に使われないため、その管理が必要となる。
【０００６】
本考案は、即席食品の食べ頃の判断を支援するための食事用具を提供することにある。
【課題を解決するための手段】
【０００７】
（１）上記課題を解決する食事用具は、食品容器内の湯に浸して、この湯の熱を伝導する棒状部と、湯面位置から、予め定められた待機時間の熱伝導により閾値温度に達する位置に、前記閾値温度で色変わりする表示部とを設けたことを特徴とする。これにより、即席食品の待機時間を計測するとともに、食事の際に使用することができる。更に、食品容器内の湯に浸されるので、湯そのものを色変わりの熱源として利用することができる。
【０００８】
（２）上記食事用具について、棒状部に、湯面位置を特定するマーカを更に設けることが好ましい。これにより、的確な待機時間を計測するタイマとして利用することができる。
（３）上記食事用具について、前記棒状部において、前記食品容器内の湯面に合わせるための、複数の待機時間に対応させた複数の目盛りを設けることが好ましい。これにより、待機時間が異なる即席食品に利用することができる。
【０００９】
（４）上記食事用具について、前記棒状部に、食品容器の縁部に固定する固定部を更に設けることが好ましい。これにより、食品容器内への脱落を抑制することができる。
【００１０】
（５）上記食事用具について、前記棒状部において、折り曲げ部を更に設け、前記折り曲げ部を折り曲げた状態の一端を前記固定部として機能させることが好ましい。これにより、棒状部自身で、食品容器内への脱落を抑制することができる。
【００１１】
（６）上記食事用具について、前記棒状部を、第１箸材と第２箸材とにより構成し、前記第１箸材と前記第２箸材とを、熱伝導の速度を変更して構成し、前記第１箸材及び前記第２箸材に前記表示部を設けたことが好ましい。これにより、各第１箸材と第２箸材に設けた表示部において、異なる待機時間で色変わりさせることができる。
【００１２】
（７）上記食事用具について、前記第１箸材と前記第２箸材を結合する結合具を更に設け、前記結合具は、一方の箸材に対して、他方の箸材を容器蓋に固定可能な角度で結合することが好ましい。これにより、一方の箸材で待機時間を計測しながら、他方の箸材で蓋を固定することができる。
【考案の効果】
【００１３】
本考案によれば、即席食品の食べ頃の判断を支援することができる。
【図面の簡単な説明】
【００１４】
【図１】第１の実施形態の食事用具の説明図。
【図２】第１の実施形態の食事用具の使用時の説明図であって、（ａ）は食品容器への挿入時の状態、（ｂ）は待機時間経過後の状態の説明図。
【図３】第２の実施形態の食事用具の説明図。
【図４】第２の実施形態の食事用具の使用時の説明図であって、（ａ）は食品容器への挿入時の状態、（ｂ）は待機時間経過後の状態の説明図。
【図５】第３の実施形態の食事用具の説明図。
【図６】第３の実施形態の食事用具の使用時の説明図であって、（ａ）は食品容器への挿入時の状態、（ｂ）は待機時間経過後の状態の説明図。
【図７】第４の実施形態の食事用具の説明図。
【図８】第４の実施形態の食事用具の使用時の説明図であって、（ａ）は食品容器への挿入時の状態、（ｂ）は待機時間経過後の状態の説明図。
【図９】第５の実施形態の食事用具の説明図。
【図１０】第５の実施形態の食事用具の使用時の説明図であって、（ａ）は両方の箸材を食品容器に挿入した時の状態、（ｂ）は一方の箸材を蓋止めに利用した状態、（ｃ）は湯面の位置に合わせて配置した状態の説明図。
【考案を実施するための形態】
【００１５】
（第１の実施形態）
以下、本考案を具体化した食事用具の一実施形態を図１、図２にしたがって説明する。
図１に示すように、本実施形態では、食事用具としてのフォーク１０について説明する。フォーク１０は、合成樹脂から構成された棒状の本体部１１（棒状部）を備える。この本体部１１には、表示部１２、湯マーカ１３が設けられている。
【００１６】
本体部１１を構成する合成樹脂には、感熱変色材が添加されている。合成樹脂としては、アクリル、ポリアミド、酢酸ビニル、ポリビニルアルコール、ポリビニルアセタール、ポリカーボネート、アルキド、ポリ塩化ビニル、熱可塑性ポリウレタンなどの熱可塑性樹脂、或いは、エポキシ、熱硬化性アクリルメラミン、不飽和ポリエステル、フェノール系樹脂などの熱硬化性樹脂を使用することができる。感熱変色材は、熱により所定の温度（閾値温度）を超えた場合に変色する材料である。感熱変色材は、（ａ）熱によって、常温色である無色から有色に発色する材料、（ｂ）常温色である有色から無色に消色（退色）する材料、（ｃ）常温色である有色から別の有色に変色する材料のいずれも包含する。感熱変色材には、例えば、電子供与性化合物及び電子受容性化合物を含むものを用いることができる。
【００１７】
この感熱変色材により、本体部１１の各部分が閾値温度を超えた場合、この部分が色変わりする。例えば、本体部１１の先端部が熱湯（熱源）に浸した場合、この先端部が閾値温度を超えるため、色変わりする。そして、本体部１１において、熱伝導により閾値温度を超えた領域が、同様に色変わりしていく。
【００１８】
表示部１２は、色変わりにより即席食品の食べ頃を示す目印である。本実施形態では、常温では、表示部１２は、本体部１１と同色であり、表示部１２の周囲の領域が閾値温度を超えた場合に色変わりすることにより、食べ頃を示す。なお、表示部１２の周囲の領域が閾値温度を超えた場合に、本体部１１自身が色変わりするようにしてもよい。湯マーカ１３は、フォーク１０を熱湯に浸す位置を示す目印である。表示部１２は、本体部１１の熱伝導により、予め定められた時間（ここでは待機時間）に、閾値温度を超える位置に設ける。例えば、本体部１１の先端部から湯マーカ１３の位置まで熱湯に浸した場合、この先端部（熱源）からの熱伝導により、待機時間（例えば３分）で閾値温度を超える位置に貼付する。
【００１９】
ここで、図２に示すように、例えば即席麺等の乾燥食材９０が入った食品容器９１に、熱湯ＢＷを注いで調理する場合を想定する。
食品容器９１内で湯面となる位置と、湯マーカ１３とが一致するようにフォーク１０を投入して、蓋部９２を閉じる。この場合、フォーク１０の本体部１１の一部が、食品容器９１と蓋部９２との隙間から外部に露出するようにしておく。
【００２０】
図２（ａ）に示すように、フォーク１０の投入時には、フォーク１０の本体部１１は、常温色となっている。その後、湯面となる位置まで熱湯を注ぐと、本体部１１において熱湯に浸された部分はすぐに色変わりする。そして、本体部１１において、熱湯からの熱伝導により、色変わりした領域が湯面から上方へと広がっていく。
図２（ｂ）に示すように、所定の待機時間（３分）の経過後には、表示部１２が設けられた領域も閾値温度に達する。
【００２１】
（作用）
フォーク１０において、本体部１１の熱伝導により閾値温度を超えた領域が色変わりする。そして、熱の伝導速度と熱源（湯マーカ１３の位置）からの距離により、色変わりにより経過時間を表わすことができる。
【００２２】
上記実施形態の食事用具によれば、以下のような効果を得ることができる。
（１）上記実施形態では、本体部１１を構成する合成樹脂には、感熱変色材が添加されている。そして、本体部１１の熱伝導により、予め定められた時間（ここでは待機時間）に、閾値温度を超える位置に表示部１２を設ける。これにより、食事用具により、即席食品のでき上がり具合を容易に判断することができる。更に、この食事用具（フォーク１０）を用いて、食事を行なうことができる。更に、フォーク１０は、食品容器内の熱湯ＢＷに浸されるので、熱湯ＢＷそのものを色変わりの熱源として利用することができる。
【００２３】
（２）上記実施形態では、本体部１１には、湯マーカ１３が設けられている。これにより、湯面（熱源の位置）と湯マーカ１３とを一致させて、熱源と表示部１２との距離を一定にすることにより、色変わりに要する待機時間を的確に表示することができる。
【００２４】
（第２の実施形態）
次に、本考案を具体化した食事用具の第２の実施形態を図３、図４にしたがって説明する。なお、第２の実施形態は、第１の実施形態の食事用具の本体部を変更したのみの構成であるため、同様の部分についてはその詳細な説明を省略する。
【００２５】
図３に示すように、食事用具としてのフォーク２０について説明する。フォーク２０は、感熱変色材が添加されている合成樹脂から構成された棒状の本体部２１（棒状部）を備える。この本体部２１には、表示部２２が設けられている。この表示部２２は、第１実施形態と同様に、色変わりにより即席食品の食べ頃を示す目印であり、本体部２１の熱伝導により、予め定められた時間（待機時間）に所定の温度（閾値温度）に達する位置に設ける。
【００２６】
本実施形態では、本体部２１は、折り曲げ部２１ａにおいて、先端部２１ｂと把持部２１ｃとに折り曲げることができるように構成されている。この折り曲げ部２１ａは、食品容器９１に注がれた熱湯の湯面位置から表示部２２までの距離が待機時間に対応するようにフォーク２０を配置させたときに、食品容器９１の縁部に当接する位置に設ける。
【００２７】
ここでも、図４に示すように、乾燥食材９０が入った食品容器９１に、熱湯ＢＷを注いで調理する場合を想定する。
図４（ａ）に示すように、フォーク２０の本体部２１を、折り曲げ部２１ａにおいて、折り曲げる。そして、先端部２１ｂ側を食品容器９１内に挿入する。一方、把持部２１ｃ側は、食品容器９１と蓋部９２との隙間から外部に露出するようにする。この場合、折り曲げ部２１ａが、食品容器９１の縁部に当接するように配置されることにより、固定部として機能する。
【００２８】
この場合、熱湯の注入前には、フォーク２０の本体部２１は、常温色である。熱湯が注がれると、本体部２１において、色変わり領域が熱湯に浸された部分から上方に広がっていく。
そして、図４（ｂ）に示すように、所定の待機時間（３分）の経過後には、表示部２２が設けられた領域も閾値温度に達する。
【００２９】
従って、第２の実施形態によれば、第１の実施形態に記載の効果（１）に加えて以下の効果を得ることができる。
（３）第２の実施形態では、フォーク２０の本体部２１は折り曲げ部２１ａを備えている。そして、使用時には、食品容器９１内に先端部２１ｂを挿入し、折り曲げ部２１ａにおいて本体部２１を折り曲げて、把持部２１ｃを食品容器９１の縁部に載置する。これにより、先端部２１ｂと把持部２１ｃとの角度により、食品容器９１内へのフォーク２０の脱落を防止することができる。
【００３０】
（第３の実施形態）
次に、本考案を具体化した食事用具の第３の実施形態を図５、図６にしたがって説明する。なお、第３の実施形態は、第１の実施形態の食事用具としてフォークの代わりに、串に適用した構成であり、同様の部分についてはその詳細な説明を省略する。
【００３１】
図５に示すように、食事用具としての串３０について説明する。この串３０は、感熱変色材が添加されている合成樹脂から構成された棒状の本体部３１（棒状部）を備える。この本体部３１には、表示部３２、掛止部３３が設けられている。この表示部３２は、第１実施形態と同様に、色変わりにより即席食品の食べ頃を示す目印であり、本体部３１の熱伝導により、予め定められた時間（待機時間）に所定の温度（閾値温度）に達する位置に設ける。掛止部３３は、食品容器９１の縁部に串３０を引っ掛けるための部材（固定部）である。この掛止部３３は、食品容器９１に注がれた熱湯の湯面位置から表示部３２までの距離が待機時間に対応するように串３０を配置させたときに、食品容器９１の縁部に引っかかる位置に設ける。
【００３２】
ここでも、図６に示すように、乾燥食材９０が入った食品容器９１に、熱湯ＢＷを注いで調理する場合を想定する。
図６（ａ）に示すように、串３０の本体部３１を、食品容器９１内に挿入する場合、掛止部３３を食品容器９１の縁部に引っ掛ける。
【００３３】
この場合にも、熱湯の注入前には、本体部３１は、常温色であるが、熱湯が注がれると、本体部３１において、色変わり領域が熱湯に浸された部分から上方に広がっていく。
そして、図６（ｂ）に示すように、所定の待機時間（３分）の経過後には、表示部３２が設けられた領域も閾値温度に達する。
【００３４】
従って、第３の実施形態によれば、第１の実施形態に記載の効果（１）と同様な効果に加えて以下の効果を得ることができる。
（４）第３の実施形態では、本体部３１には、掛止部３３が設けられている。そして、使用時には、掛止部３３を食品容器９１の縁部に引っ掛ける。これにより、食品容器９１内への串３０の脱落を防止することができる。
（５）上記実施形態では、串３０は、棒状の本体部３１を備える。これにより、食品容器９１内への挿入が容易である。
【００３５】
（第４の実施形態）
次に、本考案を具体化した食事用具の第４の実施形態を図７、図８にしたがって説明する。なお、第４の実施形態は、第３の実施形態の食事用具の本体部を変更したのみの構成であるため、同様の部分についてはその詳細な説明を省略する。
【００３６】
図７に示すように、食事用具としての串３０について説明する。串３０は、合成樹脂から構成された棒状の本体部３１を備える。この本体部３１には、表示部３２、掛止部３３が設けられている。
【００３７】
この本体部３１には、時間目盛３１ａ，３１ｂ，３１ｃが設けられている。更に、本体部３１には、摺動可能なスライダ３５が設けられている。
この表示部３２は、第３実施形態と同様に、所定の温度（閾値温度）に達した場合に、その周囲が色変わりする。各時間目盛３１ａ，３１ｂ，３１ｃは、各目盛の位置まで熱湯に浸されたときに表示部３２が所定の温度（閾値温度）に達する時間に基づいて配置される。具体的には、表示部３２から遠い位置にある時間目盛の方が、長い熱伝導時間を要し、その分、長い待機時間のタイマとして利用できる。例えば、時間目盛３１ｃは「５分」、時間目盛３１ｂは「４分」、時間目盛３１ａは「３分」のように設定する。
【００３８】
そして、即席食品の待機時間に合わせて、スライダ３５を摺動させる。
図８（ａ）に示すように、串３０の本体部３１を、食品容器９１内に挿入する場合、スライダ３５が乾燥食材９０上に載る位置に、串３０を配置する。この場合、掛止部３３を食品容器９１の縁部に出しておく。これにより、スライダ３５がずれた場合にも、食品容器９１内への串３０の脱落を防止することができる。
【００３９】
この場合にも、熱湯の注入前には、本体部３１は、常温色であるが、熱湯が注がれると、本体部３１において、色変わり領域が熱湯に浸された部分から上方に広がっていく。
そして、図８（ｂ）に示すように、所定の待機時間（３分）の経過後には、表示部３２が設けられた領域も閾値温度に達する。
【００４０】
従って、第４の実施形態によれば、第３の実施形態に記載の効果に加えて以下の効果を得ることができる。
（６）第４の実施形態では、本体部３１には、時間目盛３１ａ，３１ｂ，３１ｃ、スライダ３５が設けられている。そして、使用時には、即席食品の待機時間に合わせて、スライダ３５を摺動させる。これにより、即席食品は、内容物によって待機時間が異なるが、複数の待機時間を計るためのタイマとして利用することができる。
【００４１】
（第５の実施形態）
次に、本考案を具体化した食事用具の第５の実施形態を図９、図１０にしたがって説明する。なお、第５の実施形態は、第１の実施形態の食事用具としてフォークの代わりに、箸に適用した構成であり、同様の部分についてはその詳細な説明を省略する。
【００４２】
図９に示すように、食事用具としての箸４０について説明する。この箸４０は、感熱変色材が添加されている合成樹脂から構成された棒状の第１箸材、第２箸材として、それぞれ本体部４１ａ、４１ｂ（棒状部）を備える。そして、各本体部４１ａ、４１ｂには、それぞれ、表示部４２ａ、４２ｂが設けられている。
【００４３】
更に、本体部４１ａ、４１ｂにおいて、それぞれ表示部４２ａ、４２ｂに熱伝導するまでの時間が変わるようにしておく。例えば、熱伝導率を変更した合成樹脂により本体部４１ａ、４１ｂを構成することにより、色変わりの変化速度を調整する。そして、表示部４２ａ、４２ｂは、第１実施形態と同様に、色変わりにより即席食品の食べ頃を示す目印であり、本体部４１ａ、４１ｂの熱伝導により、予め定められた時間（待機時間）に所定の温度（閾値温度）に達する位置に設ける。そして、即席食品の待機時間に応じて、本体部４１ａ、４１ｂを使い分ける。
【００４４】
更に、図１０に示すように、この箸４０をタイマとして利用する場合、本体部４１ａ、４１ｂを結合する結合具４５，４６，４７を利用する。
図１０（ａ）に示す結合具４５は、本体部４１ａ、４１ｂを同じ方向に貫通させるために、２つの貫通孔が並んで形成されている。そして、結合具４５は、本体部４１ａ、４１ｂにおいて、表示部４２ａ、４２ｂから所定の距離の位置で固定できるようになっている。この固定位置は、次のように決定する。まず、待機時間に対応する距離に基づいて、表示部４２ａ、４２ｂに対して湯面位置を決定する。次に、湯面位置から、食品容器９１における蓋部９２までの距離に基づいて、結合具４５の固定位置を決定する。
そして、即席食品の調理時には、結合具４５を固定位置に固定した箸４０の本体部４１ａ、４１ｂを、食品容器９１と蓋部９２との隙間から挿入する。この場合、結合具４５を蓋部９２上に配置する。
【００４５】
また、図１０（ｂ）に示す結合具４６は、本体部４１ａ，４１ｂを所定の角度で貫通させるために、２つの貫通孔が所定の角度を成すように形成されている。この角度としては、例えば、食品容器９１のテーパー角度に合わせる。更に、結合具４６も、本体部４１ａ，４１ｂにおいて、表示部４２ａ，４２ｂから所定の距離の位置で固定できるようになっている。この固定位置も、上述したように、待機時間に対応する距離に基づいて、表示部４２ａ、４２ｂに対して湯面位置を決定し、この湯面位置から、食品容器９１における蓋部９２までの距離に基づいて決定する。
そして、即席食品の調理時には、箸４０の本体部４１ａを、食品容器９１と蓋部９２との隙間から挿入し、結合具４６及び本体部４１ｂを、蓋部９２の上に配置する。
【００４６】
また、図１０（ｃ）に示す結合具４７は、本体部４１ａ、４１ｂを同じ方向に貫通させるために、２つの貫通孔が並んで形成されている。そして、結合具４７は、本体部４１ａ、４１ｂにおいて、表示部４２ａ、４２ｂから所定の距離の位置で固定できるようになっている。この固定位置は、表示部４２ａ、４２ｂから待機時間に対応する距離の湯面位置に基づいて決定する。
そして、即席食品の調理時には、結合具４７を固定位置に固定した箸４０の本体部４１ａ、４１ｂを、食品容器９１と蓋部９２との隙間から挿入する。この場合、結合具４７を乾燥食材９０上に配置する。
【００４７】
従って、第５の実施形態によれば、第１の実施形態に記載の効果（１）に加えて以下の効果を得ることができる。
（７）第５の実施形態では、本体部４１ａ、４１ｂにおいて、それぞれ表示部４２ａ、４２ｂに熱伝導するまでの時間が変わるようにしておく。これにより、本体部４１ａ、４１ｂを用いて、２つの待機時間を計ることができる。
【００４８】
（８）第５の実施形態では、結合具４５においては、本体部４１ａ、４１ｂを、同じ方向に貫通させる。これにより、結合具４５を蓋止めとして利用することができる。
（９）第５の実施形態では、結合具４６においては、本体部４１ａ、４１ｂを、食品容器９１のテーパー角度に合わせた角度で貫通させる。これにより、一方の箸により待機時間を計測しながら、他方の箸を蓋止めとして利用することができる。
【００４９】
（１０）第５の実施形態では、結合具４７においては、乾燥食材９０上に載る位置に、箸４０を配置する。これにより、乾燥食材９０と湯面がほぼ一致する場合、熱源からの距離を一定に保って、的確に待機時間を計測することができる。
【００５０】
なお、上記実施形態は以下のように変更してもよい。
・  上記実施形態においては、食事用具として、フォーク、串、箸を想定したが、これらに限定されるものではない。例えば、スプーンなどにも応用することができる。
【００５１】
・  上記実施形態においては、乾燥食材９０として即席麺の調理に利用したが、利用対象は即席麺の調理に限定されるものではなく、所定の時間の加温により調理できる食品に適用することができる。例えば、即席スープなどにも利用可能である。
【００５２】
・  上記実施形態においては、各食事用具（フォーク１０，２０、串３０、箸４０）の本体部（１１，２１，３１，４１ａ，４１ｂ）において、待機時間に対応した一つの表示部（１２，２２，３２，４２ａ、４２ｂ）を設ける。各食事用具に設けられる表示部の数は、一つに限定されるものではない。熱伝導速度に基づいて、閾値温度に達する時間毎に、複数の表示部を設けるようにしてもよい。この場合、湯面位置から遠い位置にある表示部は、長い待機時間を示す。これにより、一つの食事用具において、複数の待機時間を計ることができ、その食品の待機時間に適した食べ頃を示すことができる。
【００５３】
・  上記実施形態においては、食事用具を構成する合成樹脂に感熱変色材を添加する。これに代えて、表示部付近のみに感熱変色材を添加した合成樹脂を利用するようにしてもよい。また、感熱変色材を添加した合成樹脂を、感熱変色材を添加していない合成樹脂で包み込むように構成することもできる。
【００５４】
・  上記実施形態においては、食事用具を構成する合成樹脂に感熱変色材を添加して、食べ頃になったときに色変わりさせる。これに加えて、温度によって残り時間を表示させるようにしてもよい。この場合には、温度によって表示色が異なる示温材を表示部に用いる。そして、表示部近傍の温度によって、食べ頃までの残り時間を示すメッセージを表示させる。例えば、第１の閾値温度を超えた場合には、「後１分」、第１の閾値温度より高い第２の閾値温度を超えた場合には、「食べ頃」を表示させるようにする。
【００５５】
・  上記第２の実施形態においては、フォーク２０において折り曲げ部２１ａを設けたが、折り曲げ構造の対象はフォークに限定されるものではなく、スプーン、串や箸に応用することもできる。
【００５６】
・  上記第５の実施形態においては、熱伝導率を変更した合成樹脂により本体部４１ａ、４１ｂを構成することにより、色変わりの変化速度を調整する。これに代えて、色変わりの閾値温度を変更した合成樹脂により、複数の待機時間に応用するようにしてもよい。
【符号の説明】
【００５７】
１０，２０…フォーク、１１，２１，３１，４１ａ，４１ｂ…本体部、１２，２２，３２，４２ａ，４２ｂ…表示部、２１ａ…折り曲げ部、２１ｂ…先端部、２１ｃ…把持部、３０…串、３３…掛止部、３１ａ，３１ｂ，３１ｃ…時間目盛、３５…スライダ、４０…箸、４５，４６，４７…結合具、９１…食品容器。
【図１】
0003183748.tif 000003
【図２】
0003183748.tif 000004
【図３】
0003183748.tif 000005
【図４】
0003183748.tif 000006
【図５】
0003183748.tif 000007
【図６】
0003183748.tif 000008
【図７】
0003183748.tif 000009
【図８】
0003183748.tif 000010
【図９】
0003183748.tif 000011
【図１０】
0003183748.tif 000012